(57)【要約】【課題】コンセントに電源プラグが挿したままでの待機時には電源ロスという形で待機電力が消費されてしまう。【解決手段】電源プラグ１０６とメイン電源部１０２を電源スイッチ１０１を介して接続して電気機器１００内部で独立した電力供給手段１０４で駆動するマイコン１０５によって電源スイッチ１０１をＯＮ／ＯＦＦ制御する構成とすることによって、待機時にコンセントを抜くことなくメイン電源部１０２を電源プラグ１０６から遮断してメイン電源部１０２からの電源ロスを０にして電気機器１００の待機電力を低減する。【選択図】図１
2009106095.tif 000002
【特許請求の範囲】
【請求項１】
電気機器のメイン回路へ電力を供給するメイン電源部と外部から電力を取得するための電源プラグとの間に電源スイッチを設け、前記電源プラグとは電気的に遮断できる電力供給手段によって駆動するマイコンが前記電源スイッチに対してＯＮ／ＯＦＦ制御を行うことを特徴とした電気機器。
【請求項２】
マイコンは、電気機器の外部機器の無線装置と通信可能な無線装置と接続していることを特徴とする請求項１記載の電気機器。
【請求項３】
電力供給手段は充放電する充放電装置であり、前記充放電装置がメイン電源部またはその他の電源部と接続され、前記メイン電源部またはその他の電源部と前記充放電装置を電気的に遮断できる充放電スイッチを備えて、前記充放電スイッチは前記マイコンから前記充放電装置の充放電を制御することができることを特徴とする請求項１または２記載の電気機器。
【請求項４】
請求項１〜３のいずれか１項に記載の電気機器の少なくとも一部をコンピュータに実行させるためのプログラム。
【発明の詳細な説明】
【技術分野】
【０００１】
本発明は電気機器の待機電力低減に関するものである。
【背景技術】
【０００２】
従来、電気機器において機器を使用していないときに発生する待機電力を低減するために図７に示すように電気機器７００において電源プラグ７０６とメイン回路７０３へ電力供給するためのメイン電源部７０２を遮断するための電源スイッチ７０１の前にメイン電源部７０２よりも電源ロスの小さいサブ電源部７０４を配置して、それによってマイコン７０５を駆動してマイコン７０５に与えられるリモコン信号、タイマ信号といったトリガによって電源スイッチ７０１をＯＮ／ＯＦＦ制御する構成としている。
【０００３】
これによって待機中には電源ロスの大きいメイン電源部７０２を電源プラグ７０６から遮断することとなり、コンセント７０７から電源プラグ７０６を抜くことなく、メイン電源部７０２とサブ電源部７０４の電源ロス差分だけ待機電力を低減することができる（例えば、特許文献１参照）。
【特許文献１】特開２００１−２６５４４９号公報
【発明の開示】
【発明が解決しようとする課題】
【０００４】
しかしながら、上記従来の構成では電源ロスが小さいとはいえサブ電源部７０４は電源プラグ７０６に直接接続され、コンセント７０７に電源プラグ７０６が挿したままでの待機時には電源ロスという形で待機電力が消費されてしまうという課題を有する。
【０００５】
本発明は、待機時の電源ロスを低減する電気機器を提供することを目的とする。
【課題を解決するための手段】
【０００６】
前記従来の課題を解決するために、本発明においてはメイン電源部を電源スイッチによって電源プラグから遮断できる位置に配置する構成とすることで待機時にメイン電源部からの電源ロスが発生しない配置とする。
【０００７】
またリモコン操作の待ち受けやタイマ処理といった待機時の処理は電源プラグとは電気的に遮断できる電力供給手段によって駆動するマイコンで行う構成とし、リモコン操作受信時やタイマ発火時には該マイコンが電源スイッチをＯＮ／ＯＦＦ制御してメイン回路に通電してメイン機能を実行する。
【０００８】
これらによって待機時の処理を損なうことなく電源ロスを低減する電気機器を提供することができる。
【発明の効果】
【０００９】
本発明の電気機器は待機時の電源ロスを低減する構成とすることによって待機電力を低減することができる。
【発明を実施するための最良の形態】
【００１０】
第１の発明は電気機器のメイン回路へ電力を供給するメイン電源部と外部から電力を取得するための電源プラグとの間に電源スイッチを設け、前記電源プラグとは電気的に遮断できる電力供給手段によって駆動するマイコンが前記電源スイッチに対してＯＮ／ＯＦＦ制御を行う構成とすることにより待機時にはメイン電源部を電源プラグから遮断し電源ロ
スを低減して結果待機電力を低減する電気機器を提供することができる。
【００１１】
第２の発明は、特に、第１の発明の前記マイコンが前記電気機器の外部機器（例えばリモコン）の無線装置と通信可能な無線装置と接続する構成とすることで待機時に電源ロスを低減した状態でリモコン待ち受け処理をする電気機器を提供することができる。
【００１２】
第３の発明は、特に、第１または第２の発明の前記電力供給手段が充放電する充放電装置であり、前記充放電装置が前記メイン電源部またはその他の電源部と接続され、前記メイン電源部またはその他の電源部と前記充放電装置を電気的に遮断できる充放電スイッチを備えて、前記充放電スイッチは前記マイコンから前記充放電装置の充放電を制御する構成とすることで待機処理を必要分のみ充電した充放電装置で駆動するマイコンで行うことによって待機電力を低減することができる電気機器を提供することができる。
【００１３】
第４の発明は、第１〜第３の発明の電気機器の機能の少なくとも一部をコンピュータに実行させるためのプログラムである。そして、プログラムであるので、電気・情報機器、コンピュータ、サーバ等のハードリソースを稼動させて本発明の電気機器の少なくとも一部を容易に実現することができる。また記録媒体に記録したり、通信回線を用いてプログラムを配信したりすることでプログラムの配布・更新やそのインストール作業が簡単にできる。
【００１４】
以下、本発明の実施の形態について図面を参照しながら説明する。なお、本実施の形態によって本発明が限定されるものではない。
【００１５】
（実施の形態１）
図１は、本発明の第１の実施の形態における電気機器のブロック構成図である。
【００１６】
図１において電気機器１００は電源プラグ１０６が電源スイッチ１０１に接続され、電力はメイン電源部１０２を通ってメイン回路１０３に供給される構成である。
【００１７】
ここで電源スイッチ１０１は主に電気機器１００が待機時の処理を行うマイコン１０５によってＯＮ／ＯＦＦを制御できる。またマイコン１０５はメインの電源系統からは独立した電力供給手段１０４から電力を得る構成となっている。
【００１８】
以上のように構成された電気機器について、以下その動作、作用を説明する。
【００１９】
まず電気機器１００が動作時には電源スイッチ１０１は閉じられておりメイン電源部１０２を通してメイン回路１０３への電力供給がなされて電気機器１００の機能が動作している。例えばメイン回路１０３その他の制御によってマイコン１０５が電気的、もしくは機能的に休止状態であり電力供給手段１０４からマイコン１０５への電力供給が無い状態か、もしくはメイン電源部１０２からの電源供給によってマイコン１０５が動作している状態でもよい。
【００２０】
ここでユーザの操作やタイマによって電気機器１００の電源スイッチ１０１が切られた場合には、時計表示等の待機処理は電力供給手段１０４によって電力供給がされているマイコン１０５が実行する。このとき電源プラグ１０６はどの電源部にも電力供給しないため、電源部でおこる電源ロスは０にできる。
【００２１】
電力供給手段１０４は商品寿命まで充分な容量が確保できる、もしくは交換が容易であれば１次電池での運用で問題ないが通常は実施の形態２で述べるような２次電池での運用が考えられる。
【００２２】
（実施の形態２）
図２は、本発明の第２の実施の形態における電気機器のブロック構成図である。
【００２３】
図２において電気機器１００は電源プラグ１０６からメイン回路１０３にかけての基本構成は本発明の第１の実施の形態と同様である。
【００２４】
マイコン１０５はメイン電源部１０２もしくはその他の電源部から充放電可能な充放電装置２０２と接続している。充放電装置２０２はメイン電源部１０２とは充放電スイッチ２０３を介して接続されており、充放電装置２０２とメインの電源系統とは電気的に遮断することが可能である。
【００２５】
また電気機器１００はマイコン１０５の命令によって充放電装置２０２の電力残量を測定する電力残量測定手段２０４を備える。
【００２６】
マイコン１０５は電源スイッチ１０１や充放電スイッチ２０３をＯＮ／ＯＦＦ制御することができる。
【００２７】
またマイコン１０５は無線装置２０１と接続しており、リモコン２００と通信可能である。リモコン２００はマイコン２０７に電力供給手段２０６と無線装置２０５を接続した構成である。ここで電気機器１００、リモコン２００の無線装置とはアンテナ等の周辺機器を含んだものであり、マイコン側に無線機能がついている場合等についてのマイコンと無線装置の機能分担はここでは言及しない。
【００２８】
ここで充放電スイッチ２０３はＯＮのとき充放電装置２０２を充電、ＯＦＦのとき放電状態にするものであるが、満充電の判断は充放電装置２０２に組み込まれており、充放電スイッチ２０３がＯＮであっても充電装置２０２が満充電であればそれ以上充電しない仕組みが入っているものとする。また充放電スイッチ２０３がＯＮの場合にはマイコン１０５はメイン電源部１０２からの電力で駆動する。
【００２９】
以上のように構成された電気機器について、以下その動作、作用を説明する。ここで述べる電気機器１００はリモコン２００からの信号を待ち受けるテレビ、ビデオデッキ、ＨＤＤ／ＤＶＤレコーダ、オーディオ機器、エアコン、洗浄便座等々であるが、リモコン２００を持たない機器に関する内容も含むものとする。
【００３０】
図３は電気機器１００が動作状態から待機状態に入るときのマイコン１０５の動作を示すフローチャートである。
【００３１】
まず、電気機器１００は動作状態で、電源スイッチ１０１はＯＮでメイン電源部１０２からメイン回路１０３へ電力供給されている。また、充放電スイッチ２０３はＯＮで充放電装置２０２は充電されている状態である。
【００３２】
例えばテレビを例に説明すると、スイッチが入り放送を受信して映像表示して、リモコン操作等の待受け状態である。ここで、マイコン１０５は割込み判定をしている（ステップＳ３０１）。休止状態から間欠的に起動して割込み判定をすることが消費電力削減の意味で望ましい。
【００３３】
ステップＳ３０１で割込みが入ると、どういった割込みが掛かったか判断する（ステップＳ３０２）。ステップＳ３０１では、電源スイッチがＯＦＦに操作された場合、例えば主電源スイッチが押された場合や、リモコンから電源ＯＦＦにされた場合を想定している
。
【００３４】
そして、電源スイッチの操作がＯＮであるかＯＦＦであるかを判断し（ステップＳ３０２）、電源スイッチがＯＦＦに操作されていない場合は、リモコン操作などの待受け状態に入り（ステップＳ３０３）、リモコンからの操作信号を受信すればメイン回路に操作信号を伝達する（ステップＳ３０４）。
【００３５】
次に、ステップＳ３０２で、電源スイッチがＯＦＦに操作された場合には、電力残量測定手段２０４によって電力残量を測定する（ステップＳ３０５）。これは、充放電装置２０２の充電状態を解除して放電開始できるかどうかを判断するための処理である。
【００３６】
そして、電力残量測定手段２０４によって測定された電力残量を所定の閾値と比較する（ステップＳ３０６）。ここでいう閾値とは、必ずしも満充電かどうかの閾値ではない。また、ユーザがこの閾値を設定できることが好ましく、ユーザが電気機器１００を待機状態に置く長さに応じて、「１日」「１週間」「１ヶ月」といった具合に時間に変換した形で設定できるとユーザが理解しやすい。これによってユーザの電気機器１００の使用状況にあわせて充電に掛かる電力を小さくすることができる。
【００３７】
このとき、ステップＳ３０６において電力残量が所定の閾値に満たない場合には、充電が不充分としてメイン回路を休止状態（メイン電源部１０２から電力を供給しない状態）として充電装置２０２の充電を保ったままで待機状態に入る（ステップＳ３０７）。ここでは、充放電スイッチ２０３をＯＦＦとし、さらに電源スイッチ１０１をＯＦＦして電気機器１００の電源を完全に落として待機状態に入り、マイコン１０５はメイン電源部１０２からは独立した充放電装置２０２から電力を得て駆動する。
【００３８】
また、ステップＳ３０６において電力残量が所定の閾値以上であるとされた場合には、充放電スイッチをＯＦＦして充放電装置２０２の放電を開始する（ステップＳ３０８）。これによって充放電装置２０２は電気機器１００においていかなる電力供給からも遮断された状態となる。
【００３９】
最後に、電源スイッチをＯＦＦして電気機器１００は待機状態に入る（ステップＳ３０９）。
【００４０】
次に電気機器１００が待機状態から動作状態になる場合の動作を以下に説明する。図４は電気機器１００が待機状態から動作状態に入るときのマイコン１０５の動作を示すフローチャートである。
【００４１】
まず電気機器１００は待機状態で、電源スイッチ１０１はＯＦＦで、充放電スイッチ２０３もＯＦＦであり充放電装置２０２は放電されている状態である。
【００４２】
ステップＳ４０１で割込み待ちをし、ステップＳ４０２、ステップＳ４０３で割込み内容を判断するのは上記の説明と同じである。ここではステップＳ４０２〜ステップＳ４０６で電気機器１００の電源ＯＮされた場合について説明する。
【００４３】
ステップＳ４０５で電源スイッチ１０１をＯＮにしてからステップＳ４０６で充放電スイッチ２０３をＯＮにして充放電装置２０２を充電開始する。
【００４４】
このときにも図３のように電力残量測定手段２０４によって電力残量を測定して閾値比較して充電を開始するかどうか判断するなどしても良い。
【００４５】
また、待機中であっても電力残量測定手段２０４による電力残量測定の結果充電が不充分と判断された場合には充電を開始するために、電源スイッチ１０１、充放電スイッチ２０３の順でＯＮにすることも考えられる。この際にはメイン回路１０３は休止状態のままであるほうが消費電力削減の意味で望ましい。
【００４６】
また無線装置２０１、２０５としては赤外線、無線ＬＡＮ、Ｚｉｇｂｅｅ、ＢｌｕｅＴｏｏｔｈ等いろいろ考えられるが、充放電装置２０２をできるだけ低容量にするためには電力消費が少なくて済む特別小電力無線が望ましい。
【００４７】
以上の動作、作用によってコンセント１０７からの電源供給を受けることなく待機処理をマイコン１０５が処理することができ、電気機器１００の待機電力として想定された電源部からの電源ロスを排除することによって電気機器１００の待機電力を低減することができる。
【００４８】
（実施の形態３）
本発明の第３の実施の形態においては上記第２の実施の形態において例えば電気機器１００の電源スイッチ１０１がＯＦＦの場合に充放電装置２０２の充電を行う場合には電源スイッチ１０１をＯＮにしてから充放電スイッチ２０３をＯＮにして、さらにメイン回路を休止状態にする必要がある。この煩雑さを解決する構成が実施の形態３である。
【００４９】
図５は、本発明の第３の実施の形態における電気機器のブロック構成図である。
【００５０】
図５において電気機器１００は三叉の電源スイッチ（三叉）５０１を有し、これは電源プラグ１０６からの線路をメイン電源部１０２に接続、充放電装置２０２に接続、いずれにも接続しないという３状態にすることができる。またメイン電源部１０２と充放電装置２０２は接続されない。この他の基本構成は本発明の第２の実施の形態と同様である。
【００５１】
以上のように構成した電気機器について、以下その動作、作用を説明する。
【００５２】
ここで図６は電気機器１００が待機状態から動作状態に入るときのマイコン１０５の動作を示すフローチャートである。
【００５３】
まず電気機器１００の状態としては電源スイッチ（三叉）６０１がメイン電源部１０２側に接続されてメイン回路が動作している。
【００５４】
ここでステップＳ６０１〜ステップＳ６０６のフローは本発明の第２の実施の形態でのフローと同様であり、割り込みを判定して電源ＯＦＦがされたと判定し、ステップＳ６０６で電力残量を閾値と比較する。
【００５５】
その結果閾値よりも実際の残量が少なかった場合にはステップＳ６０７で電源スイッチ５０１を充放電装置２０２側に切り替えることによってメイン回路１０３の機能はＯＦＦにして充放電装置２０２を充電する。ステップＳ６０６による閾値判定を繰り返して充電が終了するとステップＳ６０８で電源スイッチ５０１がＯＦＦされて充放電装置２０２の放電が開始して電気機器１００は待機状態となる。
【００５６】
ここで電気機器１００が待機中に電力が不足した場合には再び電源スイッチ５０１を充放電装置２０２側に接続して充電を開始する。
【００５７】
以上の動作、作用によって長時間待機状態で放置されたとしても適時充電と放電を繰り返して待機状態を保ちつつ、待機時間すべてにおいて電源部をコンセント１０７に接続す
ることが無いので電源ロスによる電力の消費を抑えて、かつ待機処理を行うことができる電気機器を提供することができる。
【産業上の利用可能性】
【００５８】
以上のように、本発明にかかる電気機器は電源部と電源スイッチを持つあらゆる電気機器の待機電力低減に応用することができる。
【図面の簡単な説明】
【００５９】
【図１】本発明の実施の形態１における電気機器の構成を示すブロック構成図
【図２】本発明の実施の形態２における電気機器の構成を示すブロック構成図
【図３】本発明の実施の形態２における電気機器が動作状態から待機状態へ遷移するときのマイコンの動作フロー図
【図４】本発明の実施の形態２における電気機器が待機状態から動作状態へ遷移するときのマイコンの動作フロー図
【図５】本発明の実施の形態３における電気機器の構成を示すブロック構成図
【図６】本発明の実施の形態３における電気機器が動作状態から待機状態へ遷移するときのマイコンの動作フロー図
【図７】従来の電気機器の構成を示すブロック構成図
【符号の説明】
【００６０】
１００、７００  電気機器
１０１、７０１  電源スイッチ
１０２、７０２  メイン電源部
１０３、７０３  メイン回路
１０４、２０６  電力供給手段
１０５、２０７、７０５  マイコン
１０６  電源プラグ
１０７  コンセント
２０１、２０５  無線装置
２０２  充放電装置
２０３  充放電スイッチ
２０４  電力残量測定手段
５０１  電源スイッチ（三叉）
【図１】
2009106095.tif 000003
【図２】
2009106095.tif 000004
【図３】
2009106095.tif 000005
【図４】
2009106095.tif 000006
【図５】
2009106095.tif 000007
【図６】
2009106095.tif 000008
【図７】
2009106095.tif 000009